(57)【要約】【課題】家庭内あるいは作業所内でスリッパー代わりに使用することにより脚のストレッチができるストレッチ履きものを提供する。【解決手段】本底１１、中底１２、中敷き１４および甲皮１５とからなり、上記本底１１と中底１２との間に上げ底１３を介在させ、上記中敷き１４と中底１２との間に、上記甲皮１５の端部を挟み込み取り付けてなるストレッチ履きもの１０において、上記上げ底１３は、母趾の基節骨から中足趾節間関節が位置する足裏が接する部分から始まり、その部分から土踏まずまでを同一の厚肉とし、土踏まずから踵が接する部分に向けて肉厚を次第に薄くし、踵が接する部分で本底１１と中底１２が直接接着し、その直接接着した部分が後端まで延びてなる構成としたもので、上記ストレッチ履きもの１０の甲皮１５は、足の内側と外側で分かれて重ね合わせ状態になり、重ね合わせ部分に面ファスナー１６を介在させてなる。また、上記中敷き１４の後端に滑り止め１７を設けることもできる。【選択図】図１
0003107368.tif 000002
【実用新案登録請求の範囲】
【請求項１】
本底、中底、中敷きおよび甲皮とからなり、上記本底と中底との間に上げ底を介在させ、上記中敷きと中底との間に、上記甲皮の端部を挟み込み取り付けてなるストレッチ履きものにおいて、上記上げ底は、母趾の基節骨から中足趾節間関節が位置する足裏が接する部分から始まり、その部分から土踏まずまでを同一の厚肉とし、土踏まずから踵が接する部分に向けて肉厚を次第に薄くし、踵が接する部分で本底と中底が直接接着され、その直接接着部分が後端まで延びてなることを特徴とするストレッチ履きもの。
【請求項２】
上記ストレッチ履きものの甲皮は、足の内側と外側で分かれて重ね合わせ状態になり、重ね合わせ部分に面ファスナーを介在させてなることを特徴とする請求項１に記載のストレッチ履きもの。
【請求項３】
上記中敷きの後端に滑り止めを設けたことを特徴とする請求項１または２に記載のストレッチ履きもの。
【考案の詳細な説明】
【技術分野】
【０００１】
この考案は、ストレッチ効果を発揮する履きものに関する。
【背景技術】
【０００２】
脚のストレッチをすることにより、健康増進効果があるといわれており、特に腰痛の防止効果が顕著だといわれている。また、表面に「足裏のつぼ」に合わせて多数の突起を設けた板を適当に傾斜させて、「足裏のつぼ」を刺激するとともに脚のストレッチを行なう健康増進器具が提供されている。
【考案の開示】
【考案が解決しようとする課題】
【０００３】
上記提案では、その健康増進器具のある場所でしかストレッチができず不便であるため、随時、ストレッチできるような健康増進器具の提供が待たれている。
【０００４】
上記状況のもとでこの考案は、家庭内あるいは作業所内でスリッパー代わりに使用することにより脚のストレッチができる履きものを提供することを課題とする。
【課題を解決するための手段】
【０００５】
上記課題を解決するために本考案は、本底、中底、中敷きおよび甲皮とからなり、上記本底と中底との間に上げ底を介在させ、上記中敷きと中底との間に、上記甲皮の端部を挟み込み取り付けてなるストレッチ履きものにおいて、上記上げ底は、母趾の基節骨から中足趾節間関節が位置する足裏が接する部分から始まり、その部分から土踏まずまでを同一の厚肉とし、土踏まずから踵が接する部分に向けて肉厚を次第に薄くし、踵が接する部分で本底と中底が直接接着され、その直接接着部分が後端まで延びてなる（請求項１）構成としたもので、上記ストレッチ履きものの甲皮は、足の内側と外側で分かれて重ね合わせ状態になり、重ね合わせ部分に面ファスナーを介在させてなる（請求項２）構成とすることができ、また、上記中敷きの後端に滑り止めを設けた（請求項３）構成とすることもできる。
【考案の効果】
【０００６】
上記の如く構成する本考案のストレッチ履きものを使用することによりストレッチの効果が得られ、甲皮を足の内側と外側で二分し、その甲皮の重ね合わせ部に面ファスナーを介在させることにより足の締め付けが過不足なく確保され、中敷きの後端に滑り止めを設けることによりストレッチ中に足が後方に滑るのを防止して存分にストレッチを楽しむことができる。
【考案を実施するための最良の形態】
【０００７】
次に図面を参照しながらこの考案の実施の形態を説明する。
【実施例１】
【０００８】
図１は第一実施例で、本底１１と中底１２は耐摩耗性良好で摩擦抵抗の大きいゴム・プラスチックを、上げ底１３はエチレン酢酸ビニルあるいはポリウレタンなどの発泡成形体を、中敷き１４は公知の芯材に合成皮革や布帛を被せ、その縁を巻き込んだものを、甲皮１５は皮革・合成皮革などを採用することができる。
【０００９】
本底１１と中底１２は、３〜４ｍｍのシートを予め所定の寸法に裁断してあり、これらを図示しない金型に装填し、装填した本底と中底との間に発泡性樹脂を注入して本底１１と中底１２と共に一体に成形される。
【００１０】
上記上げ底１３は、母趾の基節骨から中足趾節間関節が位置する足裏が接する部分から始まり、それから土踏まずの接する部分までの肉厚を４．５ｃｍとし、土踏まずから踵が接する部分に向けて肉厚を次第に薄くし、踵が接する部分で本底１１と中底１２とを直接接着し、その直接接着した部分の長さを４ｃｍ程度としている。
【００１１】
こうして成形された中底１２の上に中敷き１４を重ね合わせるが、このとき接着剤を塗った甲皮１５の端部を中底１２と中敷き１４との間に差し込み、加圧加熱して甲皮１５を一体にし、その甲皮１５の合わせ面に面ファスナー１６を貼り付けてこの考案に係るストレッチ履きもの１０が得られる。なお、上記甲皮１５を中敷き１４と中底１２との間に差し込み接着するとき、甲皮１５を中底１２または中敷き１４に、あるいは中底１２と中敷き１４に縫いつけて接着することもできる。また、上記実施例では、甲皮１５を二分して面ファスナー１６で重ね合わせとしたが、一体とすることもできる。
【００１２】
同図（ｂ）は、上記実施例の使用状態を示し、爪先で立つときはアキレス腱がストレッチされず、同図のように踵を下ろすとアキレス腱がストレッチされる。従って、このストレッチ履きものを継続使用すると腰痛の治癒効果や足腰の疲労回復効果が得られる。
【００１３】
図２は、上記実施例のストレッチ履きものの、本底１１の傾斜面を重ね合わせた状態を示し、このように本底１１の傾斜面を重ね合わせたとき、中敷き１４は平行状態となり、この状態で所定のケースに収容すると嵩低く包装することができる。
【実施例２】
【００１４】
図３は第二実施例で、中敷き１４の後端に滑り止め１７を設けたものであって、同図（ａ）は甲皮１５を接着するとき、同時に滑り止め１７を加圧加熱して接着したものであり、同図（ｂ）のものは、上げ底１３の後端から踵にかけて帯紐１８を掛け回したものである。
【００１５】
第二実施例のものは、図１(ｂ)のようにアキレス腱をストレッチした状態において、ストレッチしている足が後方に滑らないので存分にストレッチを楽しむことができる。
【産業上の利用可能性】
【００１６】
以上説明した通り、この考案に係るストレッチ履きものによれば、特定の場所に行くことなく脚のストレッチを行なうことができ、中敷きの後端に滑り止めを設けたものは、使用中に足が後方に滑らず存分にストレッチを楽しむことができる。
【図面の簡単な説明】
【００１７】
【図１】第一実施例の（ａ）斜視図、（ｂ）使用状態における側面図
【図２】同包装準備状態の側面図
【図３】（ａ）第二実施例（その１）の側面図、（ｂ）同(その２）の側面図
【符号の説明】
【００１８】
１０  ストレッチ履きもの
１１  本底
１２  中底
１３  上げ底
１４  中敷き
１５  甲皮
１６  面ファスナー
１７  滑り止め
１８  帯紐
【図１】
0003107368.tif 000003
【図２】
0003107368.tif 000004
【図３】
0003107368.tif 000005